(57)【要約】【課題】  本発明は、これまで印材の代表的なものであった象牙の代替品である象牙椰子（タグア）を加工し、印鑑の押しやすい長さが確保された印鑑と印鑑を収納するケース及びその製造方法を提供することを目的としている。【解決手段】  象牙椰子（タグア）の実の種で製造された印鑑本体１に手に持ちやすいように摘み部２を設けた印鑑３を起立状態で収納できるように印鑑収納ケース４を設け、該印鑑ケースの下端部に安定支持板５を設けて製造されている。加えて、該印鑑の摘み部２と該印鑑収納ケース４を製造する。【選択図】図３
2007001025.tif 000002
【特許請求の範囲】
【請求項１】
象牙椰子（タグア）の実の種で製造されている印鑑本体と、該印鑑の捺印部逆手方向部に該印鑑の水平方向に直径の大きい摘み部とが、一体となる形で印鑑が構成され、該印鑑本体を起立状態に収納することのできる印鑑収納ケースを設けた収納ケース付き印鑑の製造方法において、象牙椰子（タグア）の実の種より、円柱状又は角柱状の印鑑本体を加工する印鑑加工工程と、前記摘み部を、印鑑本体の上端部に嵌合し一体となるようにその下端部の中心に嵌合凹部を設けるように加工する摘み部加工工程と、前記収納ケースを加工する収納ケース加工工程と、該収納ケースの下端部に前記安定支持板を配するように加工する安定支持板加工工程を経ることで、該印鑑の該印鑑収納ケース収納完成時には、外観上造形物に見えるように構成されたことを特徴とする収納ケース付き印鑑の製造方法。
【請求項２】
印鑑本体と摘み部とが一体となる形で印鑑が構成され、該印鑑本体を収納する印鑑収納ケースを設けた収納ケース付き印鑑において、印鑑本体は、象牙椰子（タグア）の実の種で設けられたことを特徴とする収納ケース付き印鑑。
【請求項３】
象牙椰子（タグア）の実の種で製造されている印鑑本体と、該印鑑本体の水平方向に直径の大きい摘み部とが一体となるように設けられている印鑑本体を収納する収納ケースと、該収納ケースの下端部に配された安定支持板とが一体となるように設けられ、該印鑑本体を印鑑収納ケースに起立状態に収納することを特徴とする収納ケース付き印鑑。
【発明の詳細な説明】
【技術分野】
【０００１】
本発明は、象牙椰子（タグア）の実の種を利用した収納ケース付き印鑑及びその製造方法に関する。
【背景技術】
【０００２】
従来の印鑑は、その印材を象牙としており、そして、該象牙は、古くより最高の美術工芸材として珍重され、印材の中でも他を圧倒する最高級品として採用されてきたが、昨今、ワシントン条約等の規制及び動物愛護の観点から、印材に象牙を使用することが困難となっていた。
【０００３】
そこで、現在、この象牙の代替品として、象牙椰子（タグア）の実の種が、注目されている。この象牙椰子（タグア）の実の種は、エクアドル北部及びコロンビア南部のみでしか採取することができないと言われ、大変希少である。また、該象牙椰子（タグア）は、油分を多く含有している。そのため印鑑に採用した場合、その印の出来栄えは、象牙で作成された印鑑の印影に遜色なく、色彩、質感も美しく、印鑑自体が破損しにくいという特性をもつものである。
【０００４】
従来の印鑑は、先端部から末端部まで同長同大のものが多く、例えば円柱や四角柱で作成されているのが常であり、その形状の特性上指の力のみで捺印をすることになるため、例えば重要な書類等に捺印する場合に捺印の失敗につながる虞があった。
【０００５】
加えて、従来の印鑑は、印鑑の収納容器と別になっており、コスト高となるという難点があった。
【０００６】
一方、特許文献１に記載の印鑑は、郵便ポストに模した印鑑ケースと朱肉ケース兼切手類ケースが一つの基台に結合されたものが発明されている。
【０００７】
また、特許文献２に記載の印鑑は、液浸透印、公用印判等の印判体を収容しているカバー胴体と前記印判体を覆うキャップ体とからなり、キャップ体の先端部に動物等のキャラクターを取り付けてあるものが発明されている。
【特許文献１】特開２０００−２８９３１４公報
【特許文献２】実開平６−４４７１２号公報
【発明の開示】
【発明が解決しようとする課題】
【０００８】
しかし、象牙椰子（タグア）の実の種は、全体的に小さいものであり、これまで例えばボタンにはその大きさの特性上、原料として採用することが可能であったが、印鑑として十分な長さを製造することができなかった。すなわち、印鑑に於いては、一般に捺印の押しやすいとされる最長４．５ｃｍから６ｃｍの長さの円柱や四角柱で作成されているのが常である。その形状の特性上、短い印鑑は使いにくいものとされ、この結果、印材として象牙椰子（タグア）の実を採用することができなかった。
【０００９】
一方、特許文献１においては、郵便ポストに模した印鑑ケースと朱肉ケース兼切手類ケースが一つの基台に結合されたものが発明されているが、印鑑の捺印部逆手方向には、なんら摘み部等を設けていない通常の印鑑であって捺印時に、指の力のみで捺印するため、例えば重要な書類等に捺印する場合に捺印の失敗につながる可能性がある。
【００１０】
また、外観上趣向を凝らすために郵便ポスト摸した印鑑ケースや朱肉ケース兼切手類ケース等を設けているためコスト高となる難点を生じる。
【００１１】
加えて、象牙以外の印鑑を使用する場合印鑑が破損しやすく、捺印が鮮明でないという難点を生じる可能性がある。
【００１２】
特許文献２においては、液浸透印、公用印判等の印判体を収容しているカバー胴体と前記印判体を覆うキャップ体とからなり、キャップ体の先端部に動物等のキャラクターを取り付けてあり、携帯用のものが発明されているが、印鑑部分は、手に収まるとはいえない大きさ及び厚さで構成されており、特許文献１同様に捺印をしにくく、失敗する虞も生じる。
【００１３】
また、液浸透印、公用印判等の印判体を収容しているカバー胴体である、印鑑部分が、下方向から該印判体を覆うキャップ体に備え付けられており、紛失の虞が生じる。
【００１４】
そこで、本発明は、上述の課題を解決すべく創出されたもので、従来の印材には見られない、象牙椰子（タグア）の実の種で製造されており、加えて、捺印を押しやすいように印鑑本体に摘み部を設け、かつ、該印鑑を収納する印鑑本体収納部を設けた収納ケース付き印鑑及びその製造方法の提供を目的とするものである。
【課題を解決するための手段】
【００１５】
発明の第１の手段は、象牙椰子（タグア）の実の種より、円柱状又は角柱状の印鑑本体を加工する印鑑加工工程と、該種の実の外観をそのまま生かした前記摘み部を、印鑑本体の上端部に嵌合し一体となるようにその下端部の中心に嵌合凹部を設けるように加工する摘み部加工工程と、前記収納ケースを加工する収納ケース加工工程と、この工程で、該収納ケースの下端部に前記安定支持板を配するように加工する安定支持板加工工程とを経ることで、該印鑑の該印鑑収納ケース収納完成時には、外観上造形物に見えるように構成されたことを特徴とする収納ケース付き印鑑の製造方法である。
【００１６】
発明の第２の手段は、印鑑本体と摘み部とが一体となる形で印鑑が構成され、該印鑑本体を収納する印鑑収納ケースを設けた収納ケース付き印鑑において、印鑑本体は、象牙椰子（タグア）の実の種で設けられたことを特徴とする収納ケース付き印鑑である。
【００１７】
発明の第３の手段は、象牙椰子（タグア）の実の種で製造されている印鑑本体と、該印鑑本体の水平方向に直径の大きい摘み部とが一体となるように設けられている印鑑本体を収納する収納ケースと、該収納ケースの下端部に配された安定支持板とが一体となるように設けられ、該印鑑本体を印鑑収納ケースに起立状態に収納することを特徴とする収納ケース付き印鑑である。
【発明の効果】
【００１８】
請求項１記載の収納ケース付き印鑑の製造方法によれば、従来の印鑑の印材である象牙の代替品となる象牙椰子（タグア）を印鑑本体の印材として加工することを可能とし、これまで加工が難しいとされてきた、一般に捺印の押しやすいとされる最長４．５ｃｍから６ｃｍの長さを実現した。
【００１９】
また、印鑑本体が油分の多い象牙椰子（タグア）の実の種で製造されているため、印の出来栄えは、象牙を印材とした印鑑の印影に遜色なく色彩、質感も美しいものとなる。また、加えて、割れ欠けに強い印鑑を作成することができ、長く愛用できる印鑑を作成することを実現した。
【００２０】
この発明により、有底筒部に印鑑本体を差し込み自在に設けられたことで印影を彫る際に印鑑本体を取り外して彫ることを可能とし、印影を彫る際の利便性が追求されている。
【００２１】
請求項２記載の収納ケース付き印鑑によれば、印鑑本体と摘み部とが一体となる形で印鑑が構成されることで、一般に捺印の押しやすいとされる最長４．５ｃｍから６ｃｍの長さを実現するだけでなく、該印鑑本体を収納する印鑑収納ケースを設けた収納ケースを設けたことで紛失の虞を解消することに成功した。また、印鑑本体が、象牙椰子（タグア）の実の種で設けられているため印材における象牙の代替品の活用に成功し、今日、世界中で求められている環境にやさしいエコ商品の開発に成功した。
【００２２】
請求項３記載の収納ケース付き印鑑によれば、印鑑本体の捺印部逆手方向部に手に覆いやすく持ちやすいように該印鑑の垂直方向に大きい該印鑑と一体となった摘み部を設けたことで、捺印が押しやすく、手に覆いやすく持ちやすくし、指だけの力ではなく手のひら全体の力で捺印を押すことができるようになるため捺印時の失敗を生じる虞を解消することができる。
【００２３】
また、該印鑑を縦に収納することのできる印鑑本体収納部を設けることで印鑑と一体となった構成となり、印鑑本体収納部は安定した起立状態に収納することのできるように構成されているため、印鑑の紛失の虞を解消することに成功した。また、低コストの実現につながった。
【００２４】
また、印鑑本体収納完成時には、印鑑としての機能だけでなく、オブジェとしての機能も実現した。
【発明を実施するための最良の形態】
【００２５】
象牙椰子（タグア）の実の種で製造されている印鑑本体と、象牙椰子（タグア）の実の種で製造されている印鑑本体、一体となる形で印鑑が構成され、該印鑑本体を収納すること（起立状態が理想形であるが、その他横倒し状態でもよいし特段限定しない。）のできる印鑑収納ケースを設けた収納ケース付き印鑑の製造方法において、象牙椰子（タグア）の実の種より、円柱状又は角柱状の印鑑本体を加工する印鑑加工工程と、前記摘み部を、印鑑本体の上端部に嵌合し一体となるようにその下端部の中心に嵌合凹部を設けるように加工する摘み部加工工程と、前記収納ケースを加工する収納ケース加工工程と、該収納ケースの下端部に前記安定支持板を配するように加工する安定支持板加工工程を経ることで、該印鑑の該印鑑収納ケース収納完成時には、外観上造形物に見えるように構成されることで、当初の目的を達成する。
【実施例】
【００２６】
次に、図面に基づいて本発明の実施例を詳細に説明する。本発明の収納ケース付き印鑑は、印鑑本体１が、象牙椰子（タグア）の実の種で形成されており、まず印鑑本体１の捺印部逆手方向部に、印鑑として最も使用し易い最長４．５ｃｍから６ｃｍの長さの実現するための摘み部設ける。この摘み部は、色及び大きさ直径いずれにおいても特段限定せず、長さを実現するための摘み部であればよい。また、他にも例えば、手に覆いやすく持ちやすいように該印鑑の水平方向に直径の大きい該印鑑本体１と一体となった摘み部２を設けた印鑑３が形成される。尚、これらの摘み部２の下端部には嵌合凹部２Ａが設けられ、差込固定が自由自在となっている。そのため印鑑を彫るときも便利である。また、該嵌合凹部２Ａと印鑑本体１接着剤等で接着することも可能とし、臨機応変に対応可能なように形成されている。加えて、該印鑑３を収納することのできる印鑑収納ケース４を設けて、該印鑑を収納可能なように形成されている。印鑑本体１の収納方法は、起立状態が理想であるが、他横倒し状態等でもよいし特段限定はしない。
【００２７】
また、該摘み部２は、象牙椰子（タグア）の実の種およそ半分を使用し、外観上造形物の頭部に見えるように製造されており、該印鑑収納ケース４には、残った半分を使用し、外観上造形物の胴部に見えるように製造されており、よって、該印鑑３が該印鑑収納ケース４に収納完成時の全体の外観構成を象牙椰子（タグア）の実の種をそのまま生かした造形物として製造されている。（図１参照。）
【００２８】
尚、該収納ケース４のほぼ中心部に該印鑑３の有底筒部６が設けられている。その有底筒部６の長さは、該印鑑本体１の長さとほぼ同長で構成されている。また、該印鑑３が該印鑑収納ケース４に収納が完成される時には、摘み部２の下端部が、ちょうど収納ケースの上端と嵌合するように製造されている。
【００２９】
該印鑑本体１は、収納ケース４に無理なく収まるように製造されており、該印鑑本体１収納完成時には、印鑑摘み部２を有する印鑑３と収納ケース４とにより、全体の外観構成上一つの構成物のように製造される。（図５参照。）
【００３０】
収納ケース４に安定性を持たせるために印鑑収納ケース４の下端部に安定支持板５を設け、安定性を持たせている（図４参照）。
【００３１】
本発明製造方法は、印鑑加工工程、摘み部加工工程、収納ケース加工工程、安定支持板加工工程を有し、該印鑑の該印鑑収納ケース収納完成時には、外観上造形物に見えるように構成される。
【００３２】
印鑑加工工程は、象牙椰子（タグア）の実の種より、円柱状又は角柱状の印鑑本体を加工する工程である。この印鑑加工工程において、最長３．５〜５．５ｃｍ程度の印鑑本体１を形成する。
【００３３】
摘み部加工工程は、印鑑本体１の上端部に嵌合し一体となるようにその下端部の中心に嵌合凹部２Ａを設けるように加工する工程である。この摘み部２加工工程において、印鑑本体１と、印鑑本体１の捺印部逆手方向部に水平方向に直径の大きい摘み部２とが、一体となるように加工する。この工程で成形した摘み部２と前記印鑑加工工程で成形した印鑑本体１とを組み合わせることで、印鑑として最も使用し易い最長４．５ｃｍから６ｃｍの長さ程度の印鑑３が形成される。
【００３４】
収納ケース加工工程は、印鑑本体１を収納することのできるように印鑑収納ケース３を加工する工程である。印鑑本体１の収納状態は、起立状態が理想形であるが、その他横倒し状態でもよいし特段限定しない。尚、図示例では、印鑑本体１を起立状態で収納する場合が示されている。図示例では、象牙椰子（タグア）の実より加工された印鑑収納部のほぼ中心部に印鑑本体１が収納可能なように有底筒部を設けている。尚、印鑑収納部の外観は、象牙椰子（タグア）の実の種の表面模様をそのまま利用して加工してもよいし、利用せずにすべて削ってしまってもよい。
【００３５】
安定支持板加工工程は、収納ケース４の下端部に安定支持板を配するように加工する工程である。図示例では、印鑑収納ケース４の下端部に印鑑収納ケース４より水平方向に大きく、高さが印鑑収納ケース４より小さい安定支持板５を設けて印鑑の収納完成時における全体の安定感をもたせるために設けられている。尚、印鑑収納ケース４の外観は、象牙椰子（タグア）の実の種の表面模様をそのまま利用し加工してもよいし、利用せずにすべて削ってしまってもよい。
【００３６】
前記の各工程を経ることで完成された、収納ケース付き印鑑の構成要素である各部位（印鑑本体１・摘み部２・印鑑収納ケース４・安定支持板５）が、象牙椰子（タグア）の実の種の表面模様をそのまま利用して加工された場合、印鑑収納完成時の全体の外観は、印鑑収納完成時には、例えばフクロウのように見えるオブジェとしての機能も果たし、一方、利用しない場合には、象牙椰子の実の種の成分が象牙の成分とが大変似通ったものであるために、例えば象牙彫りのような加工も可能になり、オブジェとしての機能も果たす。
【図面の簡単な説明】
【００３７】
【図１】本発明収納ケース付き印鑑一実施例を示す正面図である。
【図２】本発明の印鑑摘み部の下端部を示す底面から見た分解斜視図である。
【図３】本発明の印鑑収納ケースを示す斜視図である。
【図４】本発明の収納ケース付き印鑑を示す正面図である。
【符号の説明】
【００３８】
１  印鑑本体
２  印鑑摘み部
２Ａ  嵌合凹部
３  印鑑
４  収納ケース
５  安定支持板
６  有底筒部
【図１】
2007001025.tif 000003
【図２】
2007001025.tif 000004
【図３】
2007001025.tif 000005
【図４】
2007001025.tif 000006